(57)【特許請求の範囲】
【請求項１】
安全なペンニードルアセンブリであって、
遠位端、近位端、および前記近位端と前記遠位端の間に固定的に位置する横断係合壁を有し、前記係合壁が近位方向に向いた外面および前記係合壁を貫通するように形成された開口とを有する管状のキャリアと、
患者に注入するための遠位端および近位端を有するニードルと、
前記ニードルがニードルハブと共に移動するようにニードルハブに固定され、前記係合壁の遠位方向で前記キャリアの中に解放可能に保持されるニードルハブと、
前記ニードルの前記遠位端を選択的に覆うシールドと、
前記ニードルが前記係合壁の前記開口を貫通して延出する第１のハブ位置から、前記ニードルの前記近位端が前記係合壁の前記近位方向に向いた外面の遠位方向に位置する第２のハブ位置に前記ニードルハブを進めるための第１の付勢手段と、
前記ニードルの前記遠位端が前記シールドによって覆われていない第１のシールド位置から、前記ニードルの前記遠位端が前記シールドによって覆われる第２のシールド位置へ前記シールドを、前記管状のキャリアに対して進めるための第２の付勢手段と、
を備えることを特徴とする組立体。
【請求項２】
前記シールドを前記第１のシールド位置に解放可能に保持するためのロック固定手段をさらに備え、前記ロック固定手段を解放すると、前記第２の付勢手段が前記第１のシールド位置から前記第２のシールド位置に前記シールドを進めることを特徴とする請求項１に記載の組立体。
【請求項３】
前記シールドには、前記第１のシールド位置に保持されている前記シールドと共に、前記第１のハブ位置に前記ハブを保持するために前記ハブに対して作用する一つ以上の停止面が設けられていることを特徴とする請求項２に記載の組立体。
【請求項４】
前記ロック固定手段の解放に伴って、前記シールドが、前記第２の付勢手段によって第２のシールド位置に進められると共に、前記第１の付勢手段が、前記ハブを前記第２のハブ位置に進めることを特徴とする請求項２に記載の組立体。
【発明の詳細な説明】
【技術分野】
【０００１】
本発明は、ペン型注射器用のペンニードルアセンブリに関し、より詳細には安全なペンニードルアセンブリに関する。
【背景技術】
【０００２】
安全なペンニードルアセンブリは、従来技術において既知である。これらの組立体は、特に使用後、ニードルの遠位側、すなわち患者側のニードル端部をシールドするように構成されている。しかしながらペン注射ニードルは両端ニードルとなっており、薬剤カートリッジの内容物にアクセスするために薬剤カートリッジの隔壁（ｓｅｐｔｕｍ）に挿入する露出した近位端を備えている。
【発明の概要】
【発明が解決しようとする課題】
【０００３】
一般に従来技術は、ニードルの近位側、すなわち患者側でない方のニードル端部をシールドする機構は備えていない。
【課題を解決するための手段】
【０００４】
遠位端、近位端、および近位端と遠位端の間に位置する横断係合壁を有する管状のキャリアを含む安全なペンニードルアセンブリが本明細書において提供される。係合壁は、近位方向に向いた外面と、係合壁を貫通するように形成された開口とを有する。さらに、患者に注入するための遠位端と、近位端とを有するニードルがニードルハブと共に提供される。ニードルは、ニードルハブと共に移動するようにニードルハブに固定され、ニードルハブは、係合壁の遠位方向でキャリアの中に配置される。組立体はまた、ニードルの遠位端を選択的に覆うためのシールドを有する。ニードルが係合壁の開口を貫通して延出する第１のハブ位置から、ニードルの近位端が係合壁の近位方向に向いた外面の遠位方向に位置する第２のハブ位置にニードルハブを進めるために第１の付勢要素が設けられる。さらに、ニードルの遠位端がシールドによって覆われていない第１のシールド位置から、ニードルの遠位端がシールドによって覆われる第２のシールド位置へシールドを進めるために第２の付勢要素が設けられる。
【発明の効果】
【０００５】
有利には、本発明はペン注射ニードルの近位端と遠位端の両方をシールドする組立体を提供する。
【０００６】
本発明のこれらのおよび他の特徴は、以下の詳細な記載および添付の図面を検討することによってより十分に理解されるであろう。
【図面の簡単な説明】
【０００７】
【図１】本発明によって形成される安全なペンニードルアセンブリの斜視図である。
【図２】本発明によって形成される安全なペンニードルアセンブリの分解組立図である。
【図３】シールド位置にある、本発明によって形成される安全なペンニードルアセンブリの側部立面図である。
【図４】図１の線４−４に沿って切り取った断面図である。
【図５】図１の線５−５に沿って切り取った断面図である。
【図６】図３の線６−６に沿って切り取った断面図である。
【図７】図３の線７−７に沿って切り取った断面図である。
【図８】本発明と共に使用可能なキャリアの図である。
【図９】本発明と共に使用可能なキャリアの図であり、図８とは異なる方向から見た図である。
【図１０】本発明と共に使用可能なキャリアの図であり、図８及び図９とは異なる方向から見た図である。る。
【図１１】本発明と共に使用可能なシールドの図である。
【図１２】本発明と共に使用可能なシールドの図であり、図１１とは異なる方向から見た図である。
【図１３】本発明と共に使用可能なニードルハブの図である。
【図１４】本発明と共に使用可能なニードルハブの図であり、図１３とは異なる方向から見た図である。
【発明を実施するための形態】
【０００８】
図１を参照すると、使用する前の安全なペンニードルアセンブリ１０が示されている。図２によりはっきりと示されるように、組立体１０は一般にキャリア１２と、ニードル１６が固定されたニードルハブ１４と、シールド１８と、第１の付勢要素２０と第２の付勢要素２２とを有する。組立体１０の構成要素は、図３に示されるように、ニードル１６をシールドすることができるように協働するように配置される。
【０００９】
図４〜図１０を参照すると、キャリア１２は、概ね管状であり遠位端２６から近位端２８まで延在する側壁２４を有する。キャリア１２の内部にこれを横切るように係合壁３０が配置される。係合壁３０の中、好ましくはその中央に開口３２が形成される。キャリア１２をペン型注射器に取り外し可能に設置させる機構３４（例えばねじおよび／またはルアコネクタ）をキャリア１２が備えるのが好ましい。この機構３４は係合壁３０の近位方向に配置されるのがさらに好ましい。
【００１０】
ニードル１６はペン型注射器ニードルであり、患者に注入するための遠位端３６を有する。ニードル１６はまた、中に含まれる医療内容物へのアクセスを得る目的で、医療用カートリッジの隔壁を突き刺すのに使用することができる反対側の近位端３８を有する。ニードル１６がニードルハブ１４と協調して移動するように、ニードル１６がニードルハブ１４に固定される。ニードル１６が中に設置され固定される（例えば接着剤によって取付けられる）チャネル１５（図１３および図１４）をニードルハブ１４の中を貫通して形成することができる。
【００１１】
図５〜図８に最もよく示されるように、ニードルハブ１４は、係合壁３０の遠位方向に配置される。最初の状態では、図４および図５に示されるように、ニードル１６は係合壁３０の中に形成された開口３２の中を貫通して延出している。最初の状態では、ニードル１６の近位端３８は、薬剤カートリッジの中への適切なアクセスを得るために薬剤カートリッジ内に十分に挿入されるような位置にある。組立体１０を（例えば機構３４を使用して）ペン注射器上に設置することによって薬剤カートリッジへのアクセスが得られ、ニードル１６の近位端３８をペン型注射器の中を近位方向に移動させ、関連するペン型注射器の中に収容された薬剤カートリッジの隔壁を突き刺すようにする。
【００１２】
シールド１８は、遠位端４２および近位端４４を有する本体４０を含む。シールド１８は、ニードル１６の遠位端３６を選択的に覆うように構成される。組立体１０が最初の状態にある図１、図４および図５に示されるように、シールド１８はニードル１６の遠位端３６を覆っていない。シールド１８が最初の状態にある場合、遠位端４２の中にニードル１６が中を通過することを可能にする開口１９が形成される。シールド位置にある図３、図６および図７を参照すると、シールド１８はニードル１６の遠位端３６を覆っている。
【００１３】
第１の付勢要素２０および第２の付勢要素２２はそれぞれ、コイルばねまたは圧縮ばねであるのが好ましい。他の既知の付勢要素を本発明と共に使用することもできる。図４および図５を参照すると、ニードルハブ１４は最初の位置で示されており、ニードル１６は係合壁３０の開口３２を貫通して延出している。さらに、最初の状態ではシールド１８はニードル１６の遠位端３６を覆っていない。ニードルハブ１４を最初の位置から第２のシールド位置に進めるために第１の付勢要素２０が配置される。同様にシールド１８を最初の位置から第２のシールド位置に進めるために第２の付勢要素２２が配置される。図６および図７を参照すると、ニードルハブ１４は第２のシールド位置で示されており、ニードル１６の近位端３８は係合壁３０の近位方向に向いた面４６の遠位方向に位置している。さらに第２の状態では、シールド１８がニードル１６の遠位端３６を覆っている。このように、ニードル１６の遠位端３６と近位端３８の両方がそれによって不慮にニードルが刺さる可能性を最小限にするために覆われる。
【００１４】
好ましい配置では、第１の付勢要素２０は、ニードルハブ１４を係合壁３０から離れるように遠位方向に進めるために係合壁３０とニードルハブ１４の間に配置される。図１４を参照すると、第１の保持溝５０を備えてよいニードルハブ１４の近位面４８が示されている。図４〜図７に示されるように、第１の付勢要素２０は第１の保持溝５０の中に設置されることが可能である。第１の保持溝５０は、第１の付勢要素２０に円柱状の剛性を与えることができる。さらにシールド１８をニードルハブ１４から離れるように遠位方向に進めるために、ニードルハブ１４とシールド１８の間に第２の付勢要素２２を配置することができる。図１３を参照すると、ニードルハブ１４の遠位面５４の中に、第２の付勢要素２２を中に設置することができる第２の保持溝５２が形成されている。遠位端４２から近位方向に延在する保持環５６をシールド１８上に設けることができる。第２の付勢要素２２は保持環５６に外接してよい。
【００１５】
ニードルハブ１４およびシールド１８を図１、図４および図５に示されるように最初の状態に解放可能に保持するために、ロック固定構成を設けるのが好ましい。トリガー作動式のロック固定構成を使用することができ、作動するとニードルハブ１４およびシールド１８を最初の状態から解放させ、これにより図３、図６および図７に示されるシールド状態に変位することを可能にする手動のトリガーが設けられる。
【００１６】
図面を参照すると、ロック固定構成は、シールド１８の本体４０から延出するように形成された戻り止め５８を有して設けることができる。図４に示されるように、キャリア１２の側壁２４の中に戻り止め５８を入れ子式に収容するように形成されたロック固定開口６０が設けられる。戻り止め５８およびロック固定開口６０は、最初の状態にある組立体１０と協働する位置にある。ロック固定開口６０は、支点６４のところで側壁２４に単独で取付けられたトリガーアーム６２上に位置している。支点６４の近位方向のトリガーアーム６２上にトリガーボタン６６が位置している。図４の矢印Ｆによって示されるようにトリガーボタン６６に対して加えられる押圧力によって、トリガーボタン６６がトリガーアーム６２の支点６４の近位方向に位置する部分を内側に偏向させ、これによりトリガーアーム６２の支点６４の遠位方向に位置する部分を外側に偏向させる。したがってトリガーボタン６６に対して加えられる押圧力によって、トリガーアーム６２を変位させ、その結果ロック固定開口６０に戻り止め５８を解放させることができる。止め具５８とロック固定開口６０が相互に係合することによって、第１の付勢要素２０および第２の付勢要素２２の進める力に逆らってシールド１８を最初の状態に保持する保持力が与えられる。戻り止め５８を解放することによって、第２の付勢要素２２がシールド１８を最初の状態からシールド状態に進めることが可能になる。
【００１７】
シールド１８はまた、最初の状態でニードルハブ１４に対して作用する１つまたは複数の停止面６８を備えることができる。図４に示されるように、第１の付勢要素２０の力を受けてニードルハブ１４が最初の状態から遠位方向に移動するのを阻止するために停止面６８を設け配置することができる。したがって戻り止め５８がロック固定開口６０内で受けられる場合、戻り止め５８とロック固定開口６０が互いに係合することによってニードルハブ１４とシールド１８両方の移動に対する抵抗をもたらす。戻り止め５８とロック固定開口６０は、第１の付勢要素２０および第２の付勢要素２２によって生成される集合的な力に抵抗するように構成される必要がある。
【００１８】
組立体１０にシールド１８をシールド位置にロック固定するためにロック固定構成を設けることがさらに好ましい。図５および図７を参照すると、シールド１８は１つまたは複数のロック固定タブ７０を備えることができる。キャリア１２の側壁２４の中に、対応するガイドスロット７２が形成される。ガイドスロットによってロック固定タブ７０がその中を並進し、シールド１８が遠位方向に移動することが可能になる。図７に示されるように、ロック固定タブ７０を入れ子式に受けるように形成されたスナップ式のロック固定穴７４が、ガイドスロット７２の遠位方向に位置している。第２の付勢要素２２の力を受けて、ロック固定タブ７０がロック固定穴７４に嵌るように弾性式に押しやられ、これにより図７に示されるようにシールド１８をシールド位置にロック固定することができる。
【００１９】
ニードルハブ１４は、係合壁３０から離れるようにニードルハブ１４を進める第１の付勢要素２０によってシールド位置にロック固定される必要はない。第１の付勢要素２０の力を受けたニードルハブの許容できる遠位方向の移動を制限するために、側壁２４から内側に向かって１つまたは複数の境界７６が延在してよい。図６に示されるように、境界７６は、ニードル１６の近位端３８が係合壁３０の近位方向に向いた面４６の遠位方向に位置するように、ニードルハブ１４を遠位方向に十分移動させることができるように配置されている。境界７６を受けるためにシールド１８内にバイパススロット７８が形成される。このバイパススロット７８によって、境界７６に邪魔されずにシールド１８が並進することが可能になる。
【００２０】
シールド１８は、ニードルハブ１４がその最初の状態から遠位方向に再配置された場合シールド位置でニードル１６の遠位端３６を覆うように形成され配置される必要があることも理解される。換言するとニードル１６の遠位端３６は、最初の位置よりも係合壁３０からさらに遠位方向に位置している。
【図１】
0006017760.tif 000002
【図２】
0006017760.tif 000003
【図３】
0006017760.tif 000004
【図４】
0006017760.tif 000005
【図５】
0006017760.tif 000006
【図６】
0006017760.tif 000007
【図７】
0006017760.tif 000008
【図８】
0006017760.tif 000009
【図９】
0006017760.tif 000010
【図１０】
0006017760.tif 000011
【図１１】
0006017760.tif 000012
【図１２】
0006017760.tif 000013
【図１３】
0006017760.tif 000014
【図１４】
0006017760.tif 000015